(57)【要約】【課題】身体の右側又は左側の手腕に運動障害のある患者、特に脳梗塞の患者であっても、リクライニングベッドの操作盤等の操作盤や飲料容器等のベッド生活で使用する物を整理でき、電動リクライニングベッド等の操作を自分一人で容易にできるベッド用収納スタンドを提供することを目的とする。【解決手段】平板状の垂直壁部と前記垂直壁部をベッドに固定する固定手段とを有するベッド用収納スタンドであって、前記垂直壁部に、複数の操作盤のそれぞれの押釦側をベッド内側方向に向けることが可能で、かつ前記複数の操作盤のそれぞれの前記押釦群の中の予め定めた範囲の押釦を露出可能な状態で前記操作盤を保持できる保持手段を配設したベッド用収納スタンドにより課題解決できた。【選択図】図１
2020011026.tif 000002
【特許請求の範囲】
【請求項１】
平板状の垂直壁部と前記垂直壁部をベッドに固定する固定手段とを有するベッド用収納スタンドであって、
前記垂直壁部に、複数の操作盤のそれぞれの押釦群側をベッド内側方向に向けることが可能で、かつ前記複数の操作盤のそれぞれの前記押釦群の中の予め定めた範囲の押釦を露出可能な状態で前記操作盤を保持できる保持手段を配設したことを特徴とするベッド用収納スタンド。
【請求項２】
前記保持手段が、裏面側を前記垂直壁部と対向させた操作盤を、前記操作盤の下側の面を当接させて係止する落下防止係止部と、並びに、前記操作盤がその長手方向に挿出入可能な開口部及び前記押釦を露出可能な開放部を形成し、かつ前記操作盤を前記操作盤のベッド内側方向の面を当接させて係止する傾倒防止係止部と、を備えることを特徴とする請求項１に記載のベッド用収納スタンド。
【請求項３】
前記垂直壁部と、前記固定手段を備えた固定台との連結がスライド機構のみによって構成され、前記スライド機構が、前記固定台の前記垂直壁部側の面に水平方向に配設された上下方向の規制面及び前後方向の規制面を有する溝を備えたガイドレールと、前記垂直壁部の前記固定台側の面に配設された、前記ガイドレールの溝の上方向の規制面及び前後方向の規制面に当接しながら転動するコロ、及び、前記ガイドレールの溝の下方向の規制面及び前後方向の規制面に当接しながら転動するコロと、を備えていることを特徴とする請求項１又は２に記載のベッド用収納スタンド。
【請求項４】
前記固定台の前記垂直壁部側の面であって、前記ガイドレールの上方及び下方の位置に、前記垂直壁部の前記固定台側の面に当接する複数のボールキャスターを配設したことを特徴とする請求項３に記載のベッド用収納スタンド。
【請求項５】
前記垂直壁部のスライド方向の両端部からそれぞれ前記固定台側に向けて、前記固定台及び前記ガイドレールとは干渉しないように、かつ前記垂直壁部と前記固定台との隙間を覆うガードを突設したことを特徴とする請求項３又は４に記載のベッド用収納スタンド。
【請求項６】
前記ガイドレールの右端又は左端に到達した前記垂直壁部を、前記垂直壁部の戻り方向側の端部の近傍位置に相当する、前記固定台の位置に穿設した孔に挿入棒を挿入することにより一時固定させることを特徴とする請求項３〜５のいずれかに記載のベッド用収納スタンド。
【請求項７】
前記垂直壁部の上端部に、上側に開口部を有する収納箱を固設させたことを特徴とする請求項１〜６のいずれかに記載のベッド用収納スタンド。
【発明の詳細な説明】
【技術分野】
【０００１】
本発明は、リクライニングベッドの手摺り等の構成部位に取り付けられ、ベッド生活を余儀なくされ、かつ少なくとも右側又は左側の手腕に運動障害のある患者にとって、不自由な手腕による操作面の利便性を高めるベッド用収納スタンドに関するものである。
【背景技術】
【０００２】
病院や施設などに入院あるいは入所中、入院あるいは入所患者のベッド上及びその周辺には、例えば、患者が使用する電動リクライニングベッドの操作盤、ペットボトル、メガネ、テレビリモコン、エアコンリモコン、スマホタブレットなどが存在する。
【０００３】
特許文献１には、枠体を有し、前記枠体から内側に向かって突出するように前記枠体に固定され且つ床板を保持する受桟を有することがあるベッドに取り付けて用いるベッド用機能スタンドであって、前記枠体及び／又は前記受桟の下側に当接する下当接部と、前記枠体及び／又は前記受桟の上側に当接する上当接部とを備え、前記下当接部と前記上当接部とで前記枠体及び／又は前記受桟を前記ベッドの内側から挟み込む設置部と、前記設置部より前記ベッドの外方向に延設された載置部及び前記載置部から上方向に延設された立ち上がり部を備える物置部と、を有するベッド用機能スタンドが開示されている。
【先行技術文献】
【特許文献】
【０００４】
【特許文献１】特開２０１４−３６７８５号公報
【発明の概要】
【発明が解決しようとする課題】
【０００５】
特許文献１の発明のベッド用機能スタンドにはペットボトルを載置でき本を開いた状態で読むことができることが記載されているが、前記ベッド用機能スタンドは平板状で水平に設けた載置部とその載置部から斜め上方向に延設された平板状の物置部から構成されているので、例えば、電動リクライニングベッドの操作盤、ペットボトル、メガネ、テレビリモコン、エアコンリモコン、スマホタブレットを前記載置部に積み重ねた状態で置くことになり、ベッド生活を余儀なくされ、かつ少なくとも右側又は左側の手腕に運動障害のある患者が、テレビリモコン等の器具を前記載置部上の積み重ねた器具類の中から取り出そうすると、不必要な器具もいっしょに取り出したり、ベッド上やベッド下に落下させたりして、うまく取り出すことができないという問題があった。
【０００６】
また、電動リクライニングベッド生活を余儀なくされ、かつ少なくとも右側又は左側の手腕に運動障害のある患者は、電動リクライニングベッドの操作盤やテレビリモコン等の操作盤を一方の片手で持って他方の手で釦操作をすることができないため、見たいテレビ番組を見ることをがまんしたり、電動リクライニングベッド上での自分の身体の姿勢を変えるのをがまんしたりしなければならないという問題があった。
【０００７】
それでも、テレビを視聴したいときや、電動リクライニングベッドを起こしたり倒したりさせたいときは、そのたびごとに看護師を呼び出ししなければならず、患者に申し訳ないという気持ちを起こさせたり、看護師のストレスにもなっているという問題があった。
【０００８】
本発明は、リクライニングベッド生活を余儀なくされ、かつ少なくとも右側又は左側の手腕に運動障害のある患者、特に脳梗塞の患者であっても、電動リクライニングベッドの操作盤、ペットボトル、メガネ、テレビリモコン、エアコンリモコン、スマホタブレットなどの器具のベッド上での散乱を防ぎ、電動リクライニングベッドの操作盤やテレビリモコン等の操作を自分一人で容易にできるベッド用収納スタンドを提供することを目的とする。
【課題を解決するための手段】
【０００９】
本発明における操作盤とは、電動リクライニングベッドの操作盤、テレビリモコン、エアコンリモコン、スマホタブレット等の手指や手の甲によって操作可能な押釦を備えた操作盤を意味する。
【００１０】
本発明における方向は、ベッド用収納スタンドをベッドの左側の手摺りに取り付けた状態でベッド上の患者から見た方向を指しており、前後方向とは前方向をベッド内側とした場合のベッド内外方向を指し、左右方向とは右方向をベッド上の患者の足元方向とした場合の患者の頭〜足元方向を指し、上下方向とは下側を床面側とした場合の上下方向を指す。
【００１１】
請求項１に記載のベッド用収納スタンド１は、平板状の垂直壁部２と前記垂直壁部２をベッド５０に固定する固定手段６とを有するベッド用収納スタンド１であって、前記垂直壁部２に、複数の操作盤４のそれぞれの押釦５群側をベッド内側方向に向けることが可能で、かつ前記複数の操作盤４のそれぞれの前記押釦５群の中の予め定めた範囲の押釦５を露出可能な状態で前記操作盤４を保持できる保持手段７を配設したことを特徴とする。
【００１２】
請求項２に記載のベッド用収納スタンド１は、請求項１において、前記保持手段７が、裏面側を前記垂直壁部２と対向させた操作盤４を、前記操作盤４の下側の面を当接させて係止する落下防止係止部７９と、並びに、前記操作盤４がその長手方向に挿出入可能な開口部７７及び前記押釦を露出可能な開放部７８を形成し、かつ前記操作盤４を前記操作盤４のベッド内側方向の面を当接させて係止する傾倒防止係止部７０と、を備えることを特徴とする。
【００１３】
請求項３に記載のベッド用収納スタンド１は、請求項１又は２において、前記垂直壁部２と、前記固定手段６を備えた固定台３との連結がスライド機構９のみによって構成され、前記スライド機構９が、前記固定台３の前記垂直壁部４側の面に水平方向に配設された上下方向の規制面及び前後方向の規制面を有する溝を備えたガイドレール１０と、前記垂直壁部２の前記固定台３側の面に配設された、前記ガイドレール９の溝の上方向の規制面及び前後方向の規制面に当接しながら転動するコロ１１ｂ、及び、前記ガイドレール９の溝の下方向の規制面及び前後方向の規制面に当接しながら転動するコロ１１ａと、を備えていることを特徴とする。
【００１４】
請求項４に記載のベッド用収納スタンド１は、請求項３において、前記固定台３の前記垂直壁部２側の面であって、前記ガイドレール１０の上方及び下方の位置に、前記垂直壁部２の前記固定台３側の面に当接する複数のボールキャスター１２を配設したことを特徴とする。
【００１５】
請求項５に記載のベッド用収納スタンド１は、請求項３又は４において、前記垂直壁部２のスライド方向の両端部からそれぞれ前記固定台３側に向けて、前記固定台３及び前記ガイドレール９とは干渉しないように、かつ前記垂直壁部２と前記固定台３との隙間を覆うガード６２を突設したことを特徴とする。
【００１６】
請求項６に記載のベッド用収納スタンド１は、請求項３〜５のいずれかにおいて、前記ガイドレール９の右端又は左端に到達した前記垂直壁部２を、前記垂直壁部２の戻り方向側の端部の近傍位置に相当する、前記固定台３の位置に穿設した孔６０ａ、６０ｂに挿入棒６１を挿入することにより一時固定させることを特徴とする。
【００１７】
請求項７に記載のベッド用収納スタンド１は、請求項１〜６のいずれかにおいて、前記垂直壁部２の上端部に、上側に開口部を有する収納箱２０を固設させたことを特徴とする。
【発明の効果】
【００１８】
請求項１又は２に記載のベッド用収納スタンド１は、ベッド５０の手摺り５１等に固定され、複数の操作盤４のそれぞれの押釦５群がある側を、ベッド５０に横たわっている患者８０側に向け、かつ前記複数の操作盤４のそれぞれの前記押釦５群の中の予め定めた範囲の押釦５を露出可能な状態で、前記操作盤４をそれぞれの保持手段７に収納するので、複数の操作盤４を前記垂直壁部２の１か所に収納しかつ定置化できるのでベッド５０上に散乱するのを防ぐことができ、すべての操作盤４が揃っているかを瞬時に知ることができる。
【００１９】
また、ベッド用収納スタンド１を垂直姿勢で、ベッド５０の手摺り５１等のベッドの周縁部に沿って配置でき、ベッド用収納スタンド１はベッド５０上の患者８０側への直近位置にありながら突出が殆どないのでベッド５０上の患者８０の邪魔にならないし、ベッド５０上の患者８０が不自由な手腕を動かして前記垂直壁部２の保持手段７に収納している操作盤４に手指や手の甲を当てることが容易にできる。
【００２０】
テレビリモコン、エアコンリモコン、スマホタブレットなどの操作盤４が前記垂直壁部２のベッド方向側に横置き又は縦置きされて、押釦５が患者８０側に見えるように前記操作盤４が陳列されているので、ベッド生活を余儀なくされ、かつ少なくとも右側又は左側の手腕に運動障害のある患者８０であっても、不自由な腕を伸ばして手指や手の甲を前記押釦５にもっていくことができ前記押釦５を押すことができる。これにより、例えば手腕に運動障害のある患者１人でテレビのスイッチオンオフ操作やチャンネル選択操作をして視聴することができ、エアコンの冷房又は暖房のスイッチオンオフや設定温度の変更をすることができる。
【００２１】
これにより、自分１名で行うことができ看護師を呼ばなくてもよくなるので、患者自身の思い通りのことができるという精神的な安心感に浸ることができ、ナースコールの回数も減少して看護師の業務の過度化を抑制し看護師のストレスを抑制することができる。
【００２２】
また、リモコン等の操作盤４を容易に前記保持手段７内に収納することができ、前記収納された操作盤４を容易に取り出すこともできる。
【００２３】
また、前記保持手段７の材質が、スレンレスや合成樹脂の場合は保持手段７を殺菌処理が可能のため殺菌又は滅菌状態を維持でき、ゴム等の弾性体の場合は前記保持手段７が自在に伸縮するためリモコン等の操作盤４の取り出しおよび収納を容易に行うことができ、前記操作盤４を垂直壁部２に引き寄せることにより前記操作盤２の姿勢を安定化させることができる。
【００２４】
請求項３に記載のベッド用収納スタンド１は、垂直壁部２を、前記固定台３に対して押釦５を手指や手の甲の押圧で水平方向にスライド移動自在にできるので、電動リクライニングベッド生活を余儀なくされ、かつ少なくとも右側又は左側の手腕に運動障害のある患者であっても、自分１人で手指や手の甲で押釦５を押したままの状態を続けて電動リクライニングベッド５０ａの起上り又は倒しをすることができる。
【００２５】
ここで、前記垂直壁部２が前記固定台３に対してスライドしない形態の場合に生ずる問題を説明する。前記垂直壁部２が前記固定台３に対して固定的に連結しており、固定台３に対して水平方向にスライドできない場合を考えると、前記ベッド用収納スタンド１はベッド５０の手摺り５１に固定され前記垂直壁部２もベッド５０の手摺り５１に対して定位置で移動しません。一方、電動リクライニングベッド５０ａを起こしたり倒したりすると、電動リクライニングベッド５０ａに寝たままの患者８０の肩の位置は、電動リクライニングベッド５０ａを起こすときは患者８０の足元側の方向に移動し、電動リクライニングベッド５０ａを倒すときは患者８０の頭側の方向に移動します。これにより、前記前記垂直壁部２に収納した操作盤４の押釦５の水平方向の位置と、寝たきりにならざるを得ない患者８０であって手や腕を自在に曲げられない患者８０が腕をまっすぐ伸ばして手指や手の甲の水平方向の位置との間隔は縮小したり拡大したりする。
【００２６】
このため、電動リクライニングベッド５０ａを起こそうと、腕を曲げられない患者８０が腕をまっすぐ伸ばした状態で、手指又は手の甲で操作盤４の起上り用の押釦５を押すと電動リクライニングベッド５０ａの起上がりが開始され、患者８０の手指又は手の甲の位置が電動リクライニングベッド５０ａの足元側の方向に移動し、患者８０の腕が曲がらないので前記垂直壁部２に収納された操作盤４の起上り用の押釦５から離れてしまう。この離れた時点で電動リクライニングベッド５０ａの起上り動作が途中停止してしまう。途中停止するので寝たきりで腕を曲げられない患者８０は一人で飲み物を飲める姿勢やテレビを視聴する姿勢までに起き上がることができないという問題があった。
【００２７】
本発明のスライド手段９は、患者８０が腕を伸ばして手の指又は手の甲で押釦５を押すと、電動リクライニングベッド５０ａの起上り時や倒し時の水平方向の移動に従って前記垂直壁部２が前記固定台３に対して水平方向にスライド可能としている。これにより、例えば、電動リクライニングベッド５０ａを起こそうと患者８０が腕をまっすぐ伸ばした状態で手指や手の甲で操作盤４の起上がり押釦５を押すと電動リクライニングベッド５０ａの起上がりが開始され、患者８０の手指や手の甲の位置が電動リクライニングベッド５０ａの足元側の方向に移動すると、患者８０の手指や手の甲の押圧の力のみで前記固定台３に対して、前記垂直壁部２が電動リクライニングベッド５０ａの起上がり動作に連動するように電動リクライニングベッド５０ａの足元側の方向に移動する。よって、前記前記垂直壁部２に収納した操作盤４の押釦５と、寝たきりにならざるを得ない患者８０であって手や腕の運動障害を有する患者８０のまっすぐ伸ばした腕の手指や手の甲の位置との間隔は一定の間隔を維持できるので、電動リクライニングベッド５０ａの起き上がりが途中停止することなく患者８０の欲する姿勢になるまで電動リクライニングベッド５０ａの起上がり動作を制御することができる。
【００２８】
請求項４に記載のベッド用収納スタンド１は、前記スライド手段９を挟んで対向する前記垂直壁部２と前記固定台３との間隔を略同じ間隔で維持できるので、前記固定台３に対して前記垂直壁部２の円滑なスライドを可能とすることができる。
【００２９】
請求項５に記載のベッド用収納スタンド１は、垂直壁部２が微小な力でスライドすることから危険予知した対策であり、患者が誤って固定台３と垂直壁部２との隙間に指を挟まれる災害を防ぐことができる。
【００３０】
請求項６に記載のベッド用収納スタンド１は、垂直壁部２が微小な力でスライドすることから危険予知した対策であり、患者が誤って垂直壁部２に身体を預ける体勢になったときに転倒する災害を防ぐことができる。
【００３１】
請求項７に記載のベッド用収納スタンド１は、垂直壁部２の上端部に、少なくともメガネや飲料容器３０を個々に収納できる箱状の収納箱２０を取付けたので、メガネや飲料容器３０を前記収納箱２０の１か所に整理でき、メガネや飲料容器３０などを容易に手にすることができる。
【図面の簡単な説明】
【００３２】
【図１】本発明の実施例１のベッド用収納スタンド（スライド機構有）に操作盤等を収納し左端にスライドしたときの正面概要図である。
【図２】本発明の実施例１のベッド用収納スタンド（スライド機構有）に操作盤等を収納し右端にスライドしたときの正面概要図である。
【図３】本発明の実施例２のベッド用収納スタンド（スライド機構有）に操作盤等を収納したときの正面概要図である。
【図４】図１のベッド用収納スタンド（スライド機構有）に操作盤等を収納したときの右側面概要図（ガード未取付）である。
【図５】ベッド用収納スタンド（スライド機構有）を手摺りに固定させた状態を示す背面概要図である。
【図６】本発明の実施例１のベッド用収納スタンド（スライド機構有）の正面概要図（輪ゴム取付）である。
【図７】本発明の実施例２のベッド用収納スタンド（スライド機構有）の正面概要図である。
【図８】図６のベッド用収納スタンド（スライド機構有）の右側面概要図で、（ａ）がガード無の図で、（ｂ）がガード有の図で、（ｃ）がＡ−Ａ断面でガード有で挿入棒有の図である。
【図９】ベッド用収納スタンド（スライド機構有）の背面概要図である。
【図１０】垂直壁部と固定手段の形態の説明図で、（a）が固定台に固定手段を設けた形態の右側面図であり、（ｂ）が垂直壁部に固定手段を設けた形態の右側面図である。
【図１１】本発明の実施例１のベッド用収納スタンド（スライド機構無）の正面概要図であり、（ａ）が輪ゴム未取付状態を示し、（ｂ）が輪ゴム取付状態を示す図である。
【図１２】本発明の実施例２のベッド用収納スタンド（スライド機構無）の正面概要図である。
【図１３】ベッド用収納スタンドの背面視での固定台と固定手段の説明図で、（a）が固定台と固定手段を抜き出した説明図であり、（ｂ）がスライド機構無の形態の場合のベッド用収納スタンドの背面説明図である。
【図１４】スライド機構の説明図で、（a）がスライド機構の右側面説明図で、（ｂ）が図１１（a）におけるＢ−Ｂ断面図である。
【図１５】ベッドにベッド用収納スタンドを設置した図で、（ａ）がスライド機構付のベッド用収納スタンドがガイドレールの左端に位置している状態の説明図で、（ｂ）がスライド機構付のベッド用収納スタンドがガイドレールの右端に位置している状態の説明図で、（ｃ）がスライド機構無のベッド用収納スタンドの設置状態の説明図である。
【図１６】ベッドに横たわっている患者が操作するときの説明図で、（ａ）が電動リクライニングベッドを起上がらせる押釦を手指又は手の甲で押したときの説明図で、（ｂ）が押釦を手指又は手の甲で押し続けて電動リクライニングベッドを起上がらせたときの説明図である。
【図１７】実施例１の保持手段の形態の説明図で、（ａ）が保持手段７Ａの説明図で、（ｂ）が保持手段７Ｂの説明図で、（ｃ）が保持手段７Ｃの説明図で、（ｄ）が保持手段７Ｄの説明図である。
【図１８】実施例２の保持手段の形態の説明図で、（ａ）が保持手段７Ｅの説明図で、（ｂ）が保持手段７Ｆ及び７Ｇの説明図で、（ｃ）が保持手段７Ｈの説明図である。
【図１９】図１７及び図１８の保持手段の垂直壁部への配設状態の事例の説明図で、（ａ）が図１７の実施例１の場合を示し、（ｂ）が図１８の実施例２の場合を示す図である。
【発明を実施するための形態】
【００３３】
本発明のベッド用収納スタンド１を使用する患者８０はベッド生活を余儀なくされている患者８０である。さらには、少なくとも右側又は左側の腕を自在に曲げられない運動障害のある患者８０である。
【００３４】
ベッド５０は、図１５や図１６に示すように、本発明のベッド用収納スタンド１が、ベッド５０の手摺り５１（サイドレールを含む。）に固定できるものであれば、電動リクライニングベッド５０ａでもリクライニングなしのベッドでもよくいかなるベッド５０でもよい。
【００３５】
本発明のベッド用収納スタンド１は、本発明の保持手段７の実施例１を示す図１、本発明の保持手段７の実施例２を示す図３、実施例１及び実施例２に共通の図４に示すように、平板状の垂直壁部２と前記垂直壁部２をベッド５０に固定する固定手段６とを有するベッド用収納スタンド１であって、前記垂直壁部２に、複数の操作盤４のそれぞれの押釦５群側をベッド内側方向に向けることが可能で、かつ前記複数の操作盤４のそれぞれの前記押釦５群の中の予め定めた範囲の押釦５を露出可能な状態で前記操作盤４を保持できる保持手段７を配設している。
【００３６】
そして、図１、図３、図１９に示すように、前記保持手段７が、前記複数の操作盤４の一つ一つを上下方向や左右方向に陳列状態とすることが可能に前記垂直壁部２に配設されている。
【００３７】
前記垂直壁部２について説明する。前記垂直壁部２は、同一面に前記操作盤４の一つ一つを上下方向や左右方向に陳列状態に配置することが可能な略平板状で、前記垂直壁部２の材質は、ステンレス等の金属製、プラスチック等の合成樹脂製、又は、木製でもよく、前記操作盤４を保持できる保持手段７が固定可能な材質であればよい。
【００３８】
図１５、図１６、図４に示すように、前記垂直壁部２のベッド内側方向になる面には前記保持手段７が配設されている。そして、前記垂直壁部２のベッド外側方向になる面には、図１０（ｂ）に示すように前記垂直壁部２に直接に前記固定手段６が配設された形態Ａや、図１０（ａ）や図１３（ｂ）に示すように前記垂直壁部２のベッド外側方向になる面に固定台３が固設され、その固定台３のベッド外側方向に前記固定手段６が配設された形態Ｂや、あるいは、図４、図８に示すように前記垂直壁部２のベッド外側方向になる面に設けられたスライド手段９を介して連結された固定台３のベッド外側方向に前記固定手段６が配設された形態Ｃ等がある。前記形態Ａ及び形態Ｂの場合は図１５（ｃ）に示すようにベッド５０に取り付けられ、前記形態Ｃの場合は図１５（ａ）や（ｂ）に示すようにベッド５０に取り付けられる。
【００３９】
次に保持手段７について説明する。前記保持手段７は、裏面側を前記垂直壁部２と対向させた操作盤４を、前記操作盤４の下側の面を当接させて係止する落下防止係止部７９と、並びに、前記操作盤４がその長手方向に挿出入可能な開口部７７及び前記押釦を露出可能な開放部７８を形成し、かつ前記操作盤４を前記操作盤４のベッド内側方向の面を当接させて係止する傾倒防止係止部７０と、を備えている。
【００４０】
前記保持手段７は、垂直壁部２の垂直面に操作盤４を収納でき、押釦５群がある側をベッド内側方向に向けることが可能で、並びに、前記複数の操作盤４のそれぞれの前記押釦５群の中の予め定めた範囲の押釦５を露出可能な状態で収納可能な形態を備えていればよい。そして、前記保持手段７は、前記操作盤４の一つ一つに対応させて配設され、前記操作盤４が重ならないように前記操作盤４を一つ一つ陳列状態とすることが可能に配設されている。これらにより、図１５や図１６に示すようにベッド５０上の患者８０側に、操作盤４の押釦５が向いて、患者８０が操作盤４を手で取り出さなくても収納状態の操作盤４の押釦５を手指又は手の甲で押せるようにしている。
【００４１】
次に、保持手段７の形態の事例を説明する。前記保持手段７は、前記垂直壁部２に裏面側を前記垂直壁部２側に向けた前記操作盤４を落下させないように前記落下防止係止部７９と前記傾倒防止係止部７０とを備えている。まず、図６、図１７及び図１９（ａ）に示す保持手段７の実施例１について事例を説明する。図１７（ａ）に示す保持手段７Ａは前記落下防止係止部７９で前記操作盤４の下方への落下を防止し、受台兼区分け片７１から突出させた係止用棒状体７２に架けた輪ゴム７３により、すなわち前記受台兼区分け片７１、前記係止用棒状体７２及び前記輪ゴム７３から構成される前記傾倒防止係止部７０により前記操作盤４のベッド内側への傾倒を防止している。前記輪ゴム７３を使用すると前記操作盤４を前記垂直壁部２の表面側に引き寄せる方向の付勢力を有しているので前記操作盤４が安定して保持できる。また、２つの係止用棒状体７２に挟まれた空間が開口部７７と開放部７８を形成しているので前記操作盤４を挿入しやすく押釦５を露出できるので、患者８０は容易に押釦５を手の指や手の甲で押しやすい。
【００４２】
そして、図１１（ａ）に示すような輪ゴム７３をかけていないときの状態に、図１１（ｂ）や図１７に示すように輪ゴム７３をかける。輪ゴム７３のかけ方は２つの前記係止用棒状体７２間でかけてもよいし、３つの係止用棒状体７２間でかけてもよい。また、１つの操作盤４に対して図１７に示すように１つの輪ゴム７３でもよいし、図１１（ｂ）に示すように２つの輪ゴム７３をかけてもよい。
【００４３】
図１７（ｂ）に示す保持手段７Ｂは、幅広の操作盤４の場合は受台兼区分け片７１が前記落下防止係止部７９となって前記操作盤４の落下防止を図っている。また、前記受台兼区分け片７１、前記係止用棒状体７２及び前記輪ゴム７３から構成される前記傾倒防止係止部７０により前記操作盤４のベッド内側への傾倒を防止している。また、２つの係止用棒状体７２に挟まれた空間が開口部７７と開放部７８を形成しているので前記操作盤４を挿入しやすく押釦５を露出できるので、患者８０は容易に押釦５を手の指や手の甲で押しやすい。
【００４４】
図１７（ｃ）に示す保持手段７Ｃは、受台兼区分け片７１が前記落下防止係止部７９となって前記操作盤４の落下防止を図っている。また、前記受台兼区分け片７１、前記係止用棒状体７２及び前記輪ゴム７３から構成される前記傾倒防止係止部７０により前記操作盤４のベッド内側への傾倒を防止している。また、２つの係止用棒状体７２に挟まれた空間が開口部７７と開放部７８を形成しているので前記操作盤４を挿入しやすく押釦５を露出できるので、患者８０は容易に押釦５を手の指や手の甲で押しやすい。
【００４５】
図１７（ｄ）に示す保持手段７Ｄは、受台兼区分け片７１及び係止用棒状体７２が前記落下防止係止部７９となって前記操作盤４の落下防止を図っている。また、前記受台兼区分け片７１、前記係止用棒状体７２及び前記輪ゴム７３から構成される前記傾倒防止係止部７０により前記操作盤４のベッド内側への傾倒を防止している。また、２つの係止用棒状体７２に挟まれた空間が開口部７７と開放部７８を形成しているので前記操作盤４を挿入しやすく押釦５を露出できるので、患者８０は容易に押釦５を手の指や手の甲で押しやすい。
【００４６】
次に、図７、図１２、図１８及び図１９（ｂ）に示す保持手段７の実施例２について事例を説明する。図１８（ａ）に示す保持手段７Ｅは、前記操作盤４を挿入可能な間隔で両端を前記垂直壁部２の表面側に固定され、前記操作盤４を前記垂直壁部２の表面側に引き寄せる方向の付勢力を有して弾性的な拘束力を有し、かつ、前記操作盤４の押釦５を露出させることが可能な幅の細帯状の弾性バンド７ｅである。前記弾性バンド７ｅ自体のみで前記操作盤４を保持することから前記弾性バンド７ｅ自体が落下防止係止部７９と前記傾倒防止係止部７０とを備えている。前記弾性バンド７ｅを使用すると前記操作盤４を前記垂直壁部２の表面側に引き寄せる方向の付勢力を有しているので前記操作盤４が安定して保持できる。また、前記細帯状の弾性バンド７ｅのみであるので広範囲の開口部７７と開放部７８を形成できるので前記操作盤４を挿入しやすく押釦５を露出できるので、患者８０は容易に押釦５を手の指や手の甲で押しやすい。
【００４７】
図１８（ｂ）に示す保持手段７Ｆ及び７Ｇともに前記落下防止係止部７９で前記操作盤４の下方への落下を防止している。そして、保持手段７Ｆの傾倒防止係止部７０に該当するのが、前記操作盤４の押釦５を露出させることが可能な切り抜き窓３４を有する幅広帯体部７ｆであり、保持手段７Ｇの傾倒防止係止部７０に該当するのが前記操作盤４を挿入可能な間隔で両端を前記垂直壁部２の表面側に固定され、前記操作盤４の押釦５を露出させることが可能な幅の細帯状の非弾性部材からなるバンド７ｇロである。いずれも開口部７７と開放部７８を形成できるので前記操作盤４を挿入しやすく押釦５を露出できるので、患者８０は容易に押釦５を手の指や手の甲で押しやすい。なお、図１９（ｂ）に示す保持手段７のバンド７ｇイは前記バンド７ｇロとは帯状の幅が異なるのみの類似の形態である。
【００４８】
図１８（ｃ）に示す保持手段７Ｈは、前記操作盤４を挿入可能な開口部７７を有し、前記操作盤４の押釦５を露出させることが可能な切欠き３２を有する袋形状部７ｈである。前記袋形状部７ｈの底面が落下防止係止部７９に該当し、前記形状部７ｈの前側の面が傾倒防止係止部７０に該当する。前記形状部７ｈの高さを低くしたり切欠き３２を設けることにより開放部７８を形成して押釦５を露出させているので、患者８０は容易に押釦５を手の指や手の甲で押しやすい。また前記袋形状部７ｈの開口部７７から前記操作盤４を挿入しやすい。
【００４９】
前記保持手段７を、前記保持手段７の前記保持手段７Ａ〜７Ｈのうちで選択した同じ形態の保持手段のみで配設してもよいし、少なくとも２つ以上の組合せからなる形態でもよい。いずれにしても、前記保持手段７Ａ〜７Ｈの形態に限らず、垂直壁部２の垂直面に操作盤４を収納でき、押釦５群がある側をベッド内側方向に向けることが可能で、並びに、前記複数の操作盤４のそれぞれの前記押釦５群の中の予め定めた範囲の押釦５を露出可能な状態で収納可能な形態であればよい。
【００５０】
前記保持手段７の材質は、前記受台兼区分け片７１、前記係止用棒状体７２、前記落下防止係止部７９、非弾性部材からなるバンド７ｇ、袋形状部７ｈ、及び、幅広帯体部７ｆの場合は、ステンレス等の金属製やプラスチック等の合成樹脂製がよく、弾性バンド７ｅの場合はゴム製がよい。ベッド用収納スタンド１を使用する環境や使いやすさでいずれかの材質を選択すればよい。
【００５１】
前記押釦５群の中の予め定めた範囲の押釦５とは、例えば電動リクライニングベッドの操作盤、テレビリモコン、エアコンリモコン、スマホタブレットの押釦５の内の患者８０が必要とする押釦５を意味する。
【００５２】
次に、前記スライド機構９について説明する。前記スライド機構９は、図１４に示すように、前記垂直壁部２と、前記固定手段６を備えた固定台３との連結がスライド機構９のみによって構成され、前記スライド機構９が、前記固定台３の前記垂直壁部４側の面に水平方向に配設された上下方向の規制面及び前後方向の規制面を有する溝を備えたガイドレール１０と、前記垂直壁部２の前記固定台３側の面に配設された、前記ガイドレール９の溝の上方向の規制面及び前後方向の規制面に当接しながら転動するコロ１１ｂ、及び、前記ガイドレール９の溝の下方向の規制面及び前後方向の規制面に当接しながら転動するコロ１１ａと、を備えている。
【００５３】
そして、前記固定台３の前記垂直壁部２側の面であって、前記ガイドレール１０の上方及び下方の位置に、前記垂直壁部２の前記固定台３側の面に当接する複数のボールキャスター１２を配設している。
【００５４】
前記スライド機構９は、図４や図８に示すように、前記垂直壁部２と、前記固定手段６を備えた固定台３とを連結しており、図１、図６、図１５（ａ）、図１６（ａ）に示すように固定台３に対して左端近傍の位置と、図２、図１５（ｂ）、図１６（ｂ）に示すように固定台３に対して右端近傍の位置との間を、前記垂直壁部２が前記固定台３に対して水平方向に自在にスライドする。そして、図１６（ａ）、（ｂ）に示すように、前記垂直壁部２に収納状態の操作盤４の押釦５の押圧状態の維持及び前記スライド機構９により、前記電動リクライニングベッド５０ａの起上り又は倒れ進行中の水平方向の方向及び移動距離と同じ方向及びほぼ同じ距離を、前記垂直壁部２が前記固定台３に対して水平方向にスライドすることを実現している。
【００５５】
前記患者８０が、電動リクライニングベッド生活を余儀なくされ、かつ少なくとも右側又は左側の手腕に運動障害のある患者であっても、腕を伸ばしたままで手指又は手の甲で前記押釦５を押圧することはできるから、自分一人で電動リクライニングベッド５０ａの操作盤４を片手で操作することができる。
【００５６】
上下方向の規制面及び前後方向の規制面を有する溝を備えたガイドレール１０は、例えばＣ型チャンネルが該当する。そして、前記コロ１１は、図１４（ａ）や（ｂ）に示すように、例えば、中央に位置するコロ１１ｂが前記ガイドレール１０の溝の内壁の上壁に当接しながら転動し、左右に位置するコロ１１ｂが前記ガイドレール１０の溝の内壁の下壁に当接しながら転動する。スライド機構９は、前記ガイドレール１０と、前記ガイドレール１０内を直線方向に転動するコロ１１（１１ａ、１１ｂ）との組み合わせには限定されず、摩擦抵抗の小さいころがり摩擦を利用したスライド機構９であればいずれでもよい。
【００５７】
そして、前記ガイドレール１０の上方及び下方に、例えば図１４（ｂ）に示すように２個ずつ配設した前記ボールキャスター１２により、前記垂直壁部２と前記固定台３との間隔をほぼ同じ長さで維持させることができるので、前記スライド機構９のスライドを円滑に実施させることができる。
【００５８】
また、図１〜図３、図６、図７に示すように、前記固定台３の前記ガイドレール１０の長手方向の両端部にコロ１１がガイドレール１０の端部から外れるのを阻止するためにストッパー突片１３を設けた。
【００５９】
次に、ガード６２について説明する。前記ガード６２は、前記垂直壁部２のスライド方向の両端部からそれぞれ前記固定台３側に向けて、前記固定台３及び前記ガイドレール９とは干渉しないように、かつ前記垂直壁部２と前記固定台３との隙間を覆う。
【００６０】
例えば、図４や図８（ａ）に示すように前記垂直壁部２と前記固定台３との間には、指が挿入可能な隙間６３が形成されている。そこで、図８（ｂ）に示すようにガード６２を設けて前記垂直壁部２と前記固定台３との間に指が入らないようにした。
【００６１】
次に、前記垂直壁部２のスライドが一時的にできないようにすることについて説明する。図１や図２に示すように、前記ガイドレール９の右端又は左端に到達した前記垂直壁部２を、前記垂直壁部２の戻り方向側の端部の近傍位置に相当する、前記固定台３の位置に孔６０ａ、６０ｂを穿設し、図８（ｃ）に示すように、前記孔６０ａ、６０ｂに挿入棒６１を挿入することにより前記垂直壁部２を一時固定させる。
【００６２】
例えば、図１（ａ）に示すように、前記垂直壁部２が左端近傍に到達したときに、前記垂直壁部２の右端縁に前記挿入棒６１を当接させて前記孔６０ａに挿入すると、前記垂直壁部２の右端部は前記挿入棒６１に当接して係止され、前記垂直壁部２の左端部は前記ストッパー突片１３に前記コロ１１ａが当接して係止されることから、前記垂直壁部２は前記挿入棒６１が挿入されたときのみ一時的に固定化される。これにより、前記垂直壁部２に患者等が触れただけで不意にスライドするのを防止することができる。
【００６３】
次に、図１等に示すように、前記垂直壁部２の上端部に、上側に開口部を有する収納箱２０を固設させている。前記収納箱２０は間仕切りを設けて複数の収納物入れを形成している。前記収納物入れには、飲料水のペットボトル等の飲料容器３０やメガネをそれぞれ一つずつ収納できるので、患者８０のベッド５０上及びその周辺に、飲料容器３０やメガネの整理ができ散乱を防止することができる。また、飲料容器３０やメガネを患者８０が一人で片手で前記収納箱２０から容易に取り出しや収納をすることができる。
【００６４】
次に、固定手段６について説明する。前記固定手段６は、ベッド用収納スタンド１をベッド５０の手摺り５１（サイドレールを含む。）に固定可能な形態であればいずれの形態でもよい。例えば、図４や図５に示すように、固定台３の固定手段６は手摺り５１を上下方向から挟んで固定させる形態の一つの形態であり、図４、図８、図１０、図１３に示すように、手摺り５１の下面に当接し上下にスライド調整できる手摺支持部４１と、手摺り５１の上面に当接し上下にスライド調整できる二つのフック部４０とで構成される形態がある。
【００６５】
前記スライド調整は、固定部３のベッド外側方向の面のみを取り出した説明図である図１３（ａ）に示すように、前記手摺支持部４１や前記フック部４０に設けた縦孔４２ａ、４２ｂに挿入した締付ボルト４３ａ、４３ｂを前記固定台３に螺刻した雌ねじに螺入させることにより行う。
【００６６】
前記固定手段６は、例えば、図１０（ｂ）に示すように前記垂直壁部２のベッド外側方向となる面に固設する形態、図１０（a）と図１３（ｂ）に示すように前記垂直壁部２と連結された固定台３のベッド外側方向となる面に固設する形態、又は、図４、図８や図９に示すように前記垂直壁部２とスライド機構９で連結した固定台３のベッド外側方向となる面に固設する形態がある。
【００６７】
次に、使用について説明する。まず、健常者等によって、図１６に示すように、前記保持手段７を配設した面をベッド内側方向に向くようにして、ベッド用収納スタンド１をベッド５０の手摺り５１に固定手段６により固定する。
【００６８】
そして、健常者等によって、前記保持手段７に、例えば電動リクライニングベッドの操作盤、テレビリモコン、エアコンリモコン、スマホタブレット等の操作盤４の押釦５がベッド上の患者８０側に向くようにかつ必要な押釦５が露出するように、保持手段７に挿入して収納する。これにより、患者８０にとって必要な各操作盤４の押釦５が患者側に露出された状態で保持された。さらに、前記収納箱２０の複数の収納物入れに、飲料水のペットボトル等の飲料容器３０やメガネを収納する。これにより、ベッド上での散乱を防ぎ、電動リクライニングベッドの操作盤やテレビリモコン等を定置化できた。定置化できたので収納できていない操作盤４がすぐわかるし、前記保持手段７から取り出した操作盤４が何かがすぐわかる。
【００６９】
次に、ベッド生活を余儀なくされ、かつ少なくとも右側又は左側の手腕に運動障害のある患者８０であっても、例えば、収納状態のテレビリモコンの操作盤４の押釦５を手指又は手の甲で押してスイッチオンオフやチャンネル選択が一人できてテレビ番組を視聴することができる。
【００７０】
さらに、電動リクライニングベッド生活を余儀なくされ、かつ少なくとも右側又は左側の手腕に運動障害のある患者８０であっても、図１６（ａ）、（ｂ）に示すように、電動リクライニングベッドの操作盤４の押釦５を手指又は手の甲で押し続けると、電動リクライニングベッド５０ａの起き上がりが開始され、徐々に患者８０の手指又は手の甲の位置が電動リクライニングベッド５０ａの足元側の方向に移動すると、患者８０の手指又は手の甲の押圧の力のみで前記固定台３に対して前記垂直壁部２があたかも前記電動リクライニングベッド５０ａの動きと連動しているように、前記電動リクライニングベッド５０ａの水平方向と同じ方向に、前記電動リクライニングベッド５０ａの水平方向の移動距離とほぼ同じ距離を移動する。よって、手腕に運動障害のある患者８０であっても電動リクライニングベッド５０ａの起上り又は倒しの作動を一人で行うことができる。
【符号の説明】
【００７１】
１        ベッド用収納スタンド
２        垂直壁部
３        固定台
４        操作盤
５        押釦
６        固定手段
７        保持手段
７Ａ      保持手段
７Ｂ      保持手段
７Ｃ      保持手段
７Ｄ      保持手段
７Ｅ      保持手段
７ｅ      弾性バンド
７Ｆ      保持手段
７ｆ      幅広帯体部
７Ｇ      保持手段
７ｇイ    バンド
７ｇロ    バンド
７Ｈ      保持手段
７ｈ      袋形状部
９        スライド機構
１０        ガイドレール
１１        コロ
１２        ボールキャスター
１３        ストッパー突片
２０        収納箱
３０        飲料容器
３１        開口部
３２        切欠き
３４        切り抜き窓
４０        フック部
４１        手摺支持部
４２ａ      縦孔
４２ｂ      縦孔
４３ａ      締付ボルト
４３ｂ      締付ボルト
５０        ベッド
５０ａ      電動リクライニングベッド
５１        手摺り
６０ａ      孔
６０ｂ      孔
６１        挿入棒
６２        ガード
６３        隙間
７０        傾倒防止係止部
７１        受台兼区分け片
７２        係止用棒状体
７３        輪ゴム
７７        開口部
７８        開放部
７９        落下防止係止部
８０        患者
【図１】
2020011026.tif 000003
【図２】
2020011026.tif 000004
【図３】
2020011026.tif 000005
【図４】
2020011026.tif 000006
【図５】
2020011026.tif 000007
【図６】
2020011026.tif 000008
【図７】
2020011026.tif 000009
【図８】
2020011026.tif 000010
【図９】
2020011026.tif 000011
【図１０】
2020011026.tif 000012
【図１１】
2020011026.tif 000013
【図１２】
2020011026.tif 000014
【図１３】
2020011026.tif 000015
【図１４】
2020011026.tif 000016
【図１５】
2020011026.tif 000017
【図１６】
2020011026.tif 000018
【図１７】
2020011026.tif 000019
【図１８】
2020011026.tif 000020
【図１９】
2020011026.tif 000021
【手続補正書】
【提出日】令和1年6月24日(2019.6.24)
【手続補正１】
【補正対象書類名】明細書
【補正対象項目名】００１１
【補正方法】変更
【補正の内容】
【００１１】
請求項１に記載のベッド用収納スタンド１は、平板状の垂直壁部２と前記垂直壁部２をベッド５０に固定する固定手段６とを有するベッド用収納スタンド１であって、前記垂直壁部２に、複数の操作盤４のそれぞれの押釦５群側をベッド内側方向に向けることが可能で、かつ前記複数の操作盤４のそれぞれの前記押釦５群の中の予め定めた範囲の押釦５を露出可能な状態で前記操作盤４を保持できる保持手段７を配設し、前記垂直壁部２と、前記固定手段６を備えた固定台３との連結がスライド機構９のみによって構成されていることを特徴とする。
【手続補正２】
【補正対象書類名】明細書
【補正対象項目名】００１３
【補正方法】変更
【補正の内容】
【００１３】
請求項３に記載のベッド用収納スタンド１は、請求項１又は２において、前記スライド機構９が、前記固定台３の前記垂直壁部４側の面に水平方向に配設された上下方向の規制面及び前後方向の規制面を有する溝を備えたガイドレール１０と、前記垂直壁部２の前記固定台３側の面に配設された、前記ガイドレール９の溝の上方向の規制面及び前後方向の規制面に当接しながら転動するコロ１１ｂ、及び、前記ガイドレール９の溝の下方向の規制面及び前後方向の規制面に当接しながら転動するコロ１１ａと、を備えていることを特徴とする。
【手続補正３】
【補正対象書類名】特許請求の範囲
【補正対象項目名】請求項１
【補正方法】変更
【補正の内容】
【請求項１】
平板状の垂直壁部と前記垂直壁部をベッドに固定する固定手段とを有するベッド用収納スタンドであって、
前記垂直壁部に、複数の操作盤のそれぞれの押釦群側をベッド内側方向に向けることが可能で、かつ前記複数の操作盤のそれぞれの前記押釦群の中の予め定めた範囲の押釦を露出可能な状態で前記操作盤を保持できる保持手段を配設し、
前記垂直壁部と、前記固定手段を備えた固定台との連結がスライド機構のみによって構成されていることを特徴とするベッド用収納スタンド。
【手続補正４】
【補正対象書類名】特許請求の範囲
【補正対象項目名】請求項３
【補正方法】変更
【補正の内容】
【請求項３】
前記スライド機構が、前記固定台の前記垂直壁部側の面に水平方向に配設された上下方向の規制面及び前後方向の規制面を有する溝を備えたガイドレールと、前記垂直壁部の前記固定台側の面に配設された、前記ガイドレールの溝の上方向の規制面及び前後方向の規制面に当接しながら転動するコロ、及び、前記ガイドレールの溝の下方向の規制面及び前後方向の規制面に当接しながら転動するコロと、を備えていることを特徴とする請求項１又は２に記載のベッド用収納スタンド。